(57)【要約】　　　（修正有）【課題】パターヘッドの縦の長さを８６ｍｍ以上にする必然性がなく、かつ、寸法の小さい３箇所の目印を直線状態に設定することによって、パターフェースを正確に目標に向けることができるパターを提供する。【解決手段】パターヘッドの裏面を水平面に置いた状態で、パターヘッドの重心Ｇを通り、パターフェースＦに直角方向に水平に向かう直線Ｍを想定し、該直線Ｍ方向のパターヘッドの最大長さＬが６４〜９０ｍｍであって、パターフェースＦの長手方向の長さは前記最大長さＬより大きいパターにおいて、前記直線Ｍを含む鉛直面がパターヘッドの上表面がパターヘッドの上表面と交差する線上であって、パターフェースＦから水平距離で２１．３４±２ｍｍ離れた位置に、平均直径１〜１０ｍｍの第１目印点Ａを設け、第１目印点Ａからさらに、４２．６７±４ｍｍ離れた位置に平均直径１〜１０ｍｍの第２目印点Ｂを設けたゴルフパター。【選択図】　図１
2004024317.tif 000002
【特許請求の範囲】
【請求項１】
パターヘッドの裏面を水平面に付けて置いた状態で、パターヘッドの重心Ｇを通り、パターフェースＦに直角方向に水平に向かう直線Ｍを想定し、該直線Ｍ方向のパターヘッドの最大長さＬが６４〜９０ｍｍであって、パターフェースＦの長手方向の長さは前記最大長さＬより大きいパターにおいて、前記直線Ｍを含む鉛直面がパターヘッドの表面と交差する線であるパターフェースＦに対する表面直角線上若しくは該表面直角線と平行で、該表面直角線と５ｍｍ以内の間隔を空けた平行表面直角線上であって、パターフェースＦから水平距離で２１．３４±２ｍｍ離れたパターヘッドの表面に、平均直径１〜１０ｍｍの第１目印点Ａを設け、さらに、パターヘッド表面の第１目印点を含む表面直角線若しくは平行表面直角線の延長線上から２ｍｍ以内の位置であって、該第１目印点Ａから４２．６７±４ｍｍ離れたパターヘッドの表面に平均直径１〜１０ｍｍの第２目印点Ｂを設けたことを特徴とするゴルフパター。
【請求項２】
第２目印点からパターフェースＦに対して直角に向かう直線と第１目印点からパターフェースＦに対して直角に向かう直線との間隔が１ｍｍ以内であることを特徴とする請求項１記載のゴルフパター。
【請求項３】
第１目印点Ａがパターフェースから２１．３４±１ｍｍの位置であり、第２目印点Ｂが第１目印点Ａから４２．６７±２ｍｍの位置である請求項１又は２記載のゴルフパター。
【請求項４】
直線Ｍ方向のパターヘッドの最大長さＬが６０〜７０ｍｍである請求項１、２又は３記載のゴルフパター。
【請求項５】
第１目印点Ａ及び／又は第２目印点Ｂの位置が凸状、凹状又は目印形状の周囲に溝を設けてパターヘッド上面の表面と立体的に区切られている請求項１、２、３又は４記載のゴルフパター。
【請求項６】
第１目印点Ａ及び／又は第２目印点Ｂの形状の外郭が幅０．５ｍｍ以内の線で縁取られている請求項１、２、３、４又は５記載のゴルフパター。
【請求項７】
第１目印点Ａ及び第２目印点Ｂの裏面からの高さが２５〜４０ｍｍである請求項１、２、３、４、５又は６記載のゴルフパター。
【請求項８】
第１目印点Ａと第２目印点Ｂの直線方向を中心線として、これと平行にパターヘッドの上面に、４２．６７±４ｍｍの幅の着色区域Ｎを設けた請求項１、２、３、４、５、６又は７記載のゴルフパター。
【請求項８】
ボールに付けた目印点を真上になるようにボールを置いたときに、当該ボール上の目印点とパターヘッド上の第１目印点との間隔をパターヘッド上の第１目印点と第２目印点との間隔にほぼ等しくして、かつ、ボールの上の目印点とパターヘッド上の第１目印点と第２目印点の３点の間に直線関係を成立させて、パターフェースＦを目標に向けるパッティングアドレスに用いることを特徴とする請求項１、２、３、４、５、６、７又は８記載のゴルフパター。
【発明の詳細な説明】
【０００１】
【発明の属する技術分野】
本発明は、ゴルフパターに関する。さらに詳しくは、パッティングにおいて、フェース面を打つ方向に向け易いゴルフパターに関する。
【０００２】
【従来の技術】
一般に、ゴルフのパッティングにおいては、パットフェースを打つ方向に対して、直角にすることが正確なパッティングには必要とされる。
しかし、パッティングのアドレスにおいて、プレーヤの左右の目の位置は打つ方向に対して平行に存在するため、パターフェースが打つ方向に対して直角であることを認識するのは困難である。
そのため従来より、パターフェース面を打つ方向に向け易くするために、フェース面Ｆに垂直方向に垂直線Ｅをパターフェースの上表面に設けたもの（図４）又はパターヘッドの表面Ｓにフェース面Ｆに垂直方向に、２個のゴルフボールの絵Ｖ１、Ｖ２を描いたもの（図５）が知られている。このようなパターは、表面に設けた打つ方向への直線性の方向とプレーヤの左目と右目を結ぶ線の方向が平行になるので、直線性を正確に目標に向けると、パターフェースは幾何学的に打つ方向に直角に向けられることになる点で一応有効な構造である。しかし、図４のパターは、直線Ｌの長さが短いために目標方向に向けるための精度が低い欠点がある。
特に、図５のパターは、パターヘッドに実物大の２個のボールの絵を描いたもの（以下２ボールパターという）では、実際のボールＤとパターヘッドの上の２個のボールの絵Ｖ１、Ｖ２と合計３個の実物大のボールを打つ方向に並べるとパターフェースが必然的に目標に向く機構が、多くのゴルファーに好まれている。この場合は、目標方向に向ける直線の長さは約９０ｍｍ程度に増加して、図４のパターより精度は向上する。しかしながら、図５の２ボールパターは、パターヘッドの垂直方向の長さは、約ボール２個分の長さすなわち８６ｍｍ以上の長さ、実際には９０ｍｍ程度の長さとなる。
そのため、縦の長さが通常のパターヘッドより長くなり、テークバックでパターヘッドの後尾部が上に上がり、フォロスルーでパターヘッドの後尾がグリーン面に接触するなど不便さが生じる。また、このような縦に長い形状は、パッティングの際にゴルファーに違和感を与える欠点がある。
また、２ボールパターの場合は、２個のゴルフボールの絵と実在のゴルフボールの直径約４２ｍｍの幅で合わせることになり、ミリ単位の精度の正確な直線状態を識別する精度の点では、例えば図４の直線で合わせるよりも劣る。
【０００３】
【発明が解決しようとする課題】
本発明は、パターヘッドの縦の長さを８６ｍｍ以上にする必然性がなく、かつ、寸法の小さい３箇所の目印を直線状態に設定することによって、パターフェースを正確に目標に向けることができるパターを提供することを目的とする。
【０００４】
【課題を解決するための手段】
本発明者は、上記の課題を解決すべく鋭意研究を重ねた結果、パッティングにおいては、パッティングの際、規則上ボールはグリーンに自由に置き直すことができる点に着目して、ボールに付けた目印点を真上になるようにボールを置いたときに、このボール上の目印点とパターヘッドの上面に設けた２箇所の目印点との間に直線関係を成立させる方が、従来技術の実在の約４２ｍｍのボールとパターヘッド上の約４２ｍｍの２個の絵による直線関係を成立させるよりも、小さい寸法の目印点であるためにはるかに正確にできることに着目して、本発明を完成するに至った。
すなわち、本発明は次の各項の発明よりなる。
（１）パターヘッドの裏面を水平面に付けて置いた状態で、パターヘッドの重心Ｇを通り、パターフェースＦに直角方向に水平に向かう直線Ｍを想定し、該直線Ｍ方向のパターヘッドの最大長さＬが６４〜９０ｍｍであって、パターフェースＦの長手方向の長さは前記最大長さＬより大きいパターにおいて、前記直線Ｍを含む鉛直面がパターヘッドの表面と交差する線であるパターフェースＦに対する表面直角線上若しくは該表面直角線と平行で、該表面直角線と５ｍｍ以内の間隔を空けた平行表面直角線上であって、パターフェースＦから水平距離で２１．３４±２ｍｍ離れたパターヘッドの表面に、平均直径１〜１０ｍｍの第１目印点Ａを設け、さらに、パターヘッド表面の第１目印点を含む表面直角線若しくは平行表面直角線の延長線上から２ｍｍ以内の位置であって、該第１目印点Ａから４２．６７±４ｍｍ離れたパターヘッドの表面に平均直径１〜１０ｍｍの第２目印点Ｂを設けたことを特徴とするゴルフパター。
（２）第２目印点からパターフェースＦに対して直角に向かう直線と第１目印点からパターフェースＦに対して直角に向かう直線との間隔が１ｍｍ以内であることを特徴とする第１項記載のゴルフパター。
（３）第１目印点Ａがパターフェースから２１．３４±１ｍｍの位置であり、第２目印点Ｂが第１目印点Ａから４２．６７±２ｍｍの位置である第１項又は第２項記載のゴルフパター。
（４）直線Ｍ方向のパターヘッドの最大長さＬが６０〜７０ｍｍである第１項〜第３項のいずれか記載のゴルフパター。
（５）第１目印点Ａ及び／又は第２目印点Ｂの位置が凸状、凹状又は目印形状の周囲に溝を設けてパターヘッド上面の表面と立体的に区切られている第１項〜第４項のいずれか記載のゴルフパータ。
（６）第１目印点Ａ及び／又は第２目印点Ｂの形状の外郭が幅０．５ｍｍ以内の線で縁取られている第１項〜第５項のいずれか記載のゴルフパター。
（７）第１目印点Ａ及び第２目印点Ｂの裏面からの高さが２５〜４０ｍｍである第１項〜第６項のいずれか記載のゴルフパター。
（８）第１目印点Ａと第２目印点Ｂの直線方向を中心線として、これと平行にパターヘッドの上面に、４２．６７±４ｍｍの幅の着色区域Ｎを設けた第１〜７項のいずれか記載のゴルフパター。
（９）ボールに付けた目印点を真上になるようにボールを置いたときに、当該ボール上の目印点とパターヘッド上の第１目印点との間隔をパターヘッド上の第１目印点と第２目印点との間隔にほぼ等しくして、かつ、ボールの上の目印点とパターヘッド上の第１目印点と第２目印点の３点の間に直線関係を成立させて、パターフェースＦを目標に向けるパッティングアドレスに用いることを特徴とする第１〜８項のいずれか記載のゴルフパター。
【０００５】
【発明の実施の形態】
本発明のパターは、パターヘッドにシャフトを取り付けた構造であり、パターヘッドに本発明の特徴があり、シャフトは従来公知のシャフトを特に制限なく使用できる。従って、本発明の特徴的なパターヘッドの実施の形態を説明する。
本発明のパターヘッドは、その上表面に第１目印点Ａ及び第２目印点Ｂを設けた点に特徴がある。以下の図面には、シャフトは省略されているが、実際のパターは、図のシャフト孔Ｒにシャフトが固定されている。
図１は、本発明パターをグリーン上のボールＤに対してアドレスした場合の上方から見た平面図であり、図２は図１を直線Ｍの位置で鉛直方向に切断した断面図である。図２の断面図では、中空構造のパターヘッドであることを示しており、パターヘッドの肉厚又は部分的に錘を付加して、パターヘッドの重心Ｇが図１及び図２の位置に来るように設計されている。
実際のパッティングのアドレスでは図１の状態で、プレーヤの左目から右目への方向は、直線Ｍの方向と平行になっている。
図１において、ボールＤの表面には、ボール目印点Ｃが予め付けられていて、このボール目印点Ｃを真上にして、グリーンに置かれている。
【０００６】
本発明パターを図１のように、第１目印点Ａ及び第２目印点Ｂを結ぶ直線を目標に向けてアドレスするときに、ボール目印点Ｃ、本発明パターの第１目印点Ａ及び第２目印点Ｂの３点が１直線上に含まれるようにアドレスすると、パターフェース面Ｆは正確に目標に向く。このときプレーヤの左右の目の方向と直線Ｍの方向が平行でかつ直線Ｍの真上になるので、３点を１直線に含めることは非常に容易となる。
このとき、ボール目印点Ｃと第１目印点Ａの距離及び第１目印点Ａと第２目印点Ｂの距離はほぼ等距離となり、しかも、ボールの直径４２．６７ｍｍと大体同一になる。このように３点が等間隔に離れている場合は、３点を１直線に含まれるようにパターヘッドをアドレスすることは、３点が等間隔でない場合よりは容易である。
このため、ボール目印点Ｃに向けたままでパターヘッドの方向を回転することによって、パターヘッドの２点の目印を目標に向けるとともに、３点の目印点を１直線に含めることが容易にできる。この操作によって、３点が１直線上に含めるようにアドレスすると、本発明パターのパターフェースＦの面は正確に目標に向かせることができる。
図１及び図２に示すように、本発明のパターヘッドを水平面に置いた状態で、パターヘッドの重心Ｇを通り、パターフェースに向かって直角の直線Ｍを想定する。ここに想定する直線Ｍは、本発明パターの構造を説明する基準になる点で重要である。
【０００７】
本発明のパターヘッドの該直線Ｍ方向のパターヘッドの最大長さＬが６４〜９０ｍｍ、好ましくは６４〜７０ｍｍである。直線Ｍ方向とは、直線Ｍの線上方向又は直線Ｍと平行線上方向を意味する。
パターヘッドの最大長さＬが６４ｍｍ未満では、第１目印点及び第２目印点を本発明の第１目印点と第２目印点の条件に設定することができなくなる。また、９０ｍｍを超えると、パッティングのテークバックが困難になり、違和感が大きくなる。
この観点からは、第１目印点及び第２目印点の距離的要件を満たす限り、かつ意匠性を低下させない限り、最大長さＬは短いほど望ましい。
また、ゴルフ規則によって、フェース面の長手方向の長さは垂直縦方向の長さよりも長くする必要がある。
本発明パターは、、前記直線Ｍを含む鉛直面がパターヘッドの上表面と交差する線上であって、パターフェースＦから水平距離で２１．３４±２ｍｍ、好ましくは２１．３４±１ｍｍ離れた位置に、平均直径１〜１０ｍｍ、好ましくは２〜５ｍｍの第１目印点Ａを設け、該第１目印点Ａからさらに、４２．６７±４ｍｍ、好ましくは４２．６７±２ｍｍ離れた位置に平均直径１〜１０ｍｍ、好ましくは２〜５ｍｍの第２目印点Ｂを設けた点に特徴があるゴルフパターである。
本発明のパターは、上記３点の間隔が等間隔であるほど直線性を認識しやすいので、第１目印点のパターフェースＦからの距離はボールの半径に近いほど好ましく、第１目印点と第２目印点の間隔はボールの直径に近い程望ましい。
しかし、実際のパッティングにおける目とボールとの距離では、寸法の１０％程度までは長さの差を識別できないため、１０％の範囲までは本発明の作用効果としては有効である。
【０００８】
本発明の第１目印点Ａ及び第２目印点Ｂを設ける位置は、第１目印点Ａと第２目印点Ｂを結ぶ直線が、直線Ｍを含む鉛直面がパターヘッドの上表面と交差する線と平行な線であれば、パターのフェース面の長手面方向に、５ｍｍ以内に直線Ｍから外れても、パッティンクのときの芯を少し外すことになるが、パターフェース面の方向性には誤差は生じない。そして、パターの芯が広い場合は、ボールの方向性及び距離にもほとんど誤差が生じない。しかし、直線Ｍからの間隔が５ｍｍを超えると、パッティンクの際に芯を外すことになり、フェース面が正しく目標に向いていても、パットの方向及び距離に誤差が生じることになる。
一方、第２目印点からパターフェースに直角の垂直方向の線と、第１目印点からパターフェースに直角の垂直方向の線の水平面方向での間隔は２ｍｍ以下、好ましくは１ｍｍ以下、さらに好ましくは０．５ｍｍ以下にするのが望ましい。
この間隔が２ｍｍ以上となると、前記３点を直線に含めてアドレスしたときに、パターフェース面の方向性が狂うことになる。
図１及び図２のパターは、最大長さＬが６４ｍｍであって、直線Ｍを含む鉛直面がパターヘッドの上表面と交差する線上であって、パターフェースＦから水平距離で２１．３４ｍｍ離れた位置に直径２ｍｍの円形の第１目印点があり、これと同一形状の第２目印点は第１目印点から４２．６７ｍｍ離れた位置にある理想的な寸法のパターが記載されている。
【０００９】
本発明の上記第１目印点のパターフェースからの水平距離及び第２目印点の第１目印点からの水平距離は、目印点の形状の中心において測定する。
本発明の目印点の形状は、円形が望ましいが、形状の中心点が把握できるものであれば、楕円、多角形状、星型、模様、例えば桜の花模様、蛇の目模様等を使用することができる。本発明のパターヘッド上の目印点は、上記形状の輪郭を幅０．１〜０．５ｍｍの線で形成することができる。
一方、ボールの上の目印点をパターヘッドの目印点と同一の模様にするために、パターヘッドの同一形状の孔を有するカバー（例えばプラスチック製）をボールにかぶせて、手書きでも正確な形状をボールに書くことができる。本発明に用いるボールの上の目印は、印鑑方式で捺印して付けることも望ましい。
本発明目印点の平均直径は、円形の場合は正確に直径となるが円形でない場合は、最大直径と最小直径の平均値を採用する。
本発明のパターヘッド上の二つの目印点は、適宜着色することができる。
本発明の目印点の形状及び色は、使用するボールに付けたボール目印点Ｃの形状及び色と同一にすることができる。
図５の従来の２ボールパターの場合は、縦の長さはボールの直径の２倍以上、すなわち最低８６ｍｍ以上が必要であり、従って、パターフェースの長さも８６ｍｍ以上にする必要がある。このように縦が長いと、違和感が生じて、パッティングのストロークで真っすぐテークバックできない現象が生じることが多い。
【００１０】
本発明のパターヘッドでは、縦方向の寸法は、約６０ｍｍ程度まで短くすることができる。６０ｍｍ程度の縦の長さは、普及しているカマボコ型パターにも良く見られる長さであり、違和感を感じる形状ではない。
また、従来の図５の２ボールパターにおいては、目印が点でなく、４２ｍｍの直径のボールの絵、すなわち白い円であるので３個の直径４２ｍｍの円形状による直線性は、本発明の平均直径１０ｍｍ以下の小さい円の中心の３点による直線性の方が把握しやすいことは幾何学的に明らかである。
さらに、本発明のパターは、縦の長さを約６０ｍｍ程度まで短縮することができる。図５の２ボールパターの場合は、縦の長さが８６ｍｍ以上となるので、テークバックのときにパターヘッドの後尾が高く上がり感覚的に真っすぐにテークバックするのが困難になる。
本発明パターヘッドは、図２の断面図に示すように、第１目印点及び第２目印点をパターヘッドの上面の表面と立体的に区別することができる。
立体的に区別する方法は、まず、図２のように第１目印点及び第２目印点の部分をパターヘッドの上面の表面から突出させる構造又はこの部分を凹部とする構造して行うことができる。他の態様としては、図３に示すようにパターヘッドの表面の目印点の周囲に溝Ｋを設けて区別することができる。
【００１１】
このように第１目印点及び第２目印点を立体的にパターヘッド表面から区別することによって、ゴルフプレーヤ自身が、ボールに付けた目印点の色に応じて、第１目印点及び第２目印点の色を適宜好みの色にペンキ等を手書きで塗布して変更することができる。
このペンキ等による手書きの塗布操作において、立体的に区別されていることによって、パターヘッド上の二つの目印点の形状を各プレーヤが手書きによって正確に形成することができる。仮に、目印点が立体的に形成されていない場合には、パターヘッド上の目印点の形状が素人の手書きでは正確な幾何学的形状にならず、パターヘッド表面の２個の目印点及びボールの目印点を直線に合わせるのが困難になるとともに極めて体裁の悪いパターヘッドになる。
また、同様の趣旨で、第１目印点Ａ又は第２目印点Ｂの形状の外郭が幅０．５ｍｍ以内の線で縁取られている構造にすることができる。この場合の輪郭の中に手書きで着色できるので、手書きであっても、正確な形状の目印点を書くことができる。
本発明のパターは、図３に示すように、第１目印点Ａと第２目印点Ｂの直線方向を中心線として、これと平行にパターヘッドの上面に、ボールの直径にほぼ等しい４２．６７±４ｍｍの幅の着色区域Ｎを設けることが望ましい。
この着色区域Ｎは、図３のように少なくとも第１目印点Ａ及び第２目印点Ｂを含めば良いが、これをパターフェースＦまで延長することができる。
着色区域Ｎの着色は使用ボールの色に着色するのが望ましい。
【００１２】
図３のボールの直径の幅の着色区域Ｎによって、さらに、パターフェース面を真っすぐに向け易くなる。この場合、パターフェースＦに平行に区切ったシャフト孔Ｒの取り付け面を水平面Ｈとして、さらに、ここにも着色区域Ｎと同一又は別の着色を施工することも、正確なアドレスに貢献することができる。
本発明の特殊な態様として、図５の２ボールパターの２個のボールの絵の中心に目印点を付けると、これらの点は本発明の第１目印点及び第２目印点の位置と同一になる。
この場合は、縦の長さが８６ｍｍ以上になる欠点が生じるが、本発明の好適な態様例であるとともに、図５の２ボールパター３個のボールを直線状に並べる利点をさらに改善したパターとなる。
本発明のパターヘッドの二つの目印点Ａ、Ｂの高さをボールの表面の目印点Ｃと同じ高さにすると、さらに３点を直線上に並べ易くなる。ボール上の目印点Ｃは、地上から約４ｃｍの高さにある。従って、パターヘッド表面の二つの目印点Ａ、Ｂの存在する位置のパターヘッド表面を裏面から３０〜４３ｍｍ、好ましくは３５〜４０ｍｍにするのが望ましい。
【００１３】
【発明の効果】
【図面の簡単な説明】
【図１】図１は、本発明の１実施例のパターヘッドのをボールにアドレスした状態を説明する平面図である。
【図２】図２は、図１の平面図の側面断面図である。
【図３】図３は、本発明の他の態様のパターヘッドを示す平面図である。
【図４】図４は、従来のパターヘッドの平面図である。
【図５】図５は、従来のパターヘッドの平面図である。
【符号の説明】
Ａ　第１目印点
Ｂ　第２目印点
Ｃ　ボールの上の目印点
Ｄ　ボール
Ｆ　パターフェース
Ｇ　重心
Ｈ　水平面
Ｌ　パターヘッドの最大長さ
Ｍ　直線
Ｎ　着色区域
Ｓ　パターヘッドの表面
Ｒ　シャフト孔
【図１】
2004024317.tif 000003
【図２】
2004024317.tif 000004
【図３】
2004024317.tif 000005
【図４】
2004024317.tif 000006
【図５】
2004024317.tif 000007
【手続補正書】
【提出日】平成14年6月25日(2002.6.25)
【手続補正１】
【補正対象書類名】明細書
【補正対象項目名】特許請求の範囲
【補正方法】変更
【補正の内容】
【特許請求の範囲】
【請求項１】
パターヘッドの裏面を水平面に付けて置いた状態で、パターヘッドの重心Ｇを通り、パターフェースＦに直角方向に水平に向かう直線Ｍを想定し、該直線Ｍ方向のパターヘッドの最大長さＬが６４〜９０ｍｍであって、パターフェースＦの長手方向の長さは前記最大長さＬより大きいパターにおいて、前記直線Ｍを含む鉛直面がパターヘッドの表面と交差する線であるパターフェースＦに対する表面直角線上若しくは該表面直角線と平行で、該表面直角線と５ｍｍ以内の間隔を空けた平行表面直角線上であって、パターフェースＦから水平距離で２１．３４±２ｍｍ離れたパターヘッドの表面に、平均直径１〜１０ｍｍの第１目印点Ａを設け、さらに、パターヘッド表面の第１目印点を含む表面直角線若しくは平行表面直角線の延長線上から２ｍｍ以内の位置であって、該第１目印点Ａから４２．６７±４ｍｍ離れたパターヘッドの表面に平均直径１〜１０ｍｍの第２目印点Ｂを設けたことを特徴とするゴルフパター。
【請求項２】
第２目印点からパターフェースＦに対して直角に向かう直線と第１目印点からパターフェースＦに対して直角に向かう直線との間隔が１ｍｍ以内であることを特徴とする請求項１記載のゴルフパター。
【請求項３】
第１目印点Ａがパターフェースから２１．３４±１ｍｍの位置であり、第２目印点Ｂが第１目印点Ａから４２．６７±２ｍｍの位置である請求項１又は２記載のゴルフパター。
【請求項４】
直線Ｍ方向のパターヘッドの最大長さＬが６０〜７０ｍｍである請求項１、２又は３記載のゴルフパター。
【請求項５】
第１目印点Ａ及び／又は第２目印点Ｂの位置が凸状、凹状又は目印形状の周囲に溝を設けてパターヘッド上面の表面と立体的に区切られている請求項１、２、３又は４記載のゴルフパター。
【請求項６】
第１目印点Ａ及び／又は第２目印点Ｂの形状の外郭が幅０．５ｍｍ以内の線で縁取られている請求項１、２、３、４又は５記載のゴルフパター。
【請求項７】
第１目印点Ａ及び第２目印点Ｂの裏面からの高さが２５〜４０ｍｍである請求項１、２、３、４、５又は６記載のゴルフパター。
【請求項８】
第１目印点Ａと第２目印点Ｂの直線方向を中心線として、これと平行にパターヘッドの上面に、４２．６７±４ｍｍの幅の着色区域Ｎを設けた請求項１、２、３、４、５、６又は７記載のゴルフパター。
【請求項９】
ボールに付けた目印点を真上になるようにボールを置いたときに、当該ボール上の目印点とパターヘッド上の第１目印点との間隔をパターヘッド上の第１目印点と第２目印点との間隔にほぼ等しくして、かつ、ボールの上の目印点とパターヘッド上の第１目印点と第２目印点の３点の間に直線関係を成立させて、パターフェースＦを目標に向けるパッティングアドレスに用いることを特徴とする請求項１、２、３、４、５、６、７又は８記載のゴルフパター。